(57)【要約】【課題】マスク本体の立体構造を確実に維持でき、かつ、良好な装着感を得ることができるマスクを提供する。【解決手段】横方向折合わせ部15，15を、各折り目部21，22により折り畳んだ状態で左右方向両側部を接合してマスク本体12の表面側に位置するように上下対称に形成する。縦方向折合わせ部16，16を、各折り目部31，32により折り畳んだ状態で上下方向両端部を接合してマスク本体12の表面側に位置するように左右対称に形成する。マスク本体12を左右方向と上下方向にそれぞれ引き伸ばした際に安定した立体構造を得ることができ、装着者の口元が動いた際などでもマスク本体12の立体構造を確実に維持できる。立体化したマスク本体12の裏面側には、各折り目部22，32により装着者の鼻の両側部分および顎の両側部分に密接する上部曲線部と下部曲線部を形成するので、良好な装着感を得ることができる。【選択図】図１
2007260110.tif 000002
【特許請求の範囲】
【請求項１】
通気性素材により形成された四角形状のマスク本体と、
このマスク本体の幅方向両側部に設けられた耳掛け部とを具備し、
前記マスク本体は、
幅方向両側に亘って形成された横方向折り込み片と、
上下方向両端に亘って形成された縦方向折り込み片とを備え、
前記横方向折り込み片は、前記マスク本体の表面側に位置する表面側横方向折り目部と前記マスク本体の裏面側に位置する裏面側横方向折り目部とにより折り畳まれ、かつ、この折り畳まれた状態で幅方向両側部が接合されて前記マスク本体の表面側に位置するように前記マスク本体の上下方向に対称に少なくとも一対形成され、
前記縦方向折り込み片は、前記マスク本体の表面側に位置する表面側縦方向折り目部と前記マスク本体の裏面側に位置する裏面側縦方向折り目部とにより折り畳まれ、かつ、この折り畳まれた状態で上下方向両端部が接合されて前記マスク本体の表面側に位置するように前記マスク本体の幅方向に対称に一対形成されている
ことを特徴としたマスク。
【請求項２】
各裏面側縦方向折り目部は、マスク本体の上部から下部へと、互いの間隔が前記マスク本体の幅方向に拡開されるように傾斜して形成されている
ことを特徴とした請求項１記載のマスク。
【請求項３】
横方向折り込み片は、
上下方向に対称に形成された一対の第１横方向折り込み片と、
この第１横方向折り込み片の下方に設けられた第２横方向折り込み片とからなり、
マスク本体の上端部から前記第１横方向折り込み片の各表面横方向折り目部間の中間位置までの寸法が、前記マスク本体の上下方向寸法の３５％以上４０％以下である
ことを特徴とした請求項１または２記載のマスク。
【発明の詳細な説明】
【技術分野】
【０００１】
本発明は、装着者の鼻孔および口元を覆うマスクに関する。
【背景技術】
【０００２】
従来、不織布からなる四角形状のマスク本体と、このマスク本体の両側部に設けられた耳掛け部とを備えたマスクにおいて、マスク本体の幅方向に複数の折り込み片としての折合わせ部を設け、これら折合せ部を着用時に引き伸ばすことで装着者の鼻孔、口および顎にかかる部分を立体的に覆うことが可能なものがある。
【０００３】
そして、このようなマスクにおいて、装着者の顔部への密着性を向上するために、マスク本体の幅方向に左右二側に延伸させて設けた一対の第１折合わせ部と、マスク本体の上下方向に上下二側に延伸させて設けた一対の第２折合わせ部とを設け、上下方向および左右方向の引き伸ばしの伸展性を付与し、二重立体効果によりマスク本体を立体化させるマスクが知られている（例えば、特許文献１参照。）。
【特許文献１】登録実用新案第３１０８９０９号公報（第５−６頁、図２−３）
【発明の開示】
【発明が解決しようとする課題】
【０００４】
しかしながら、上述のマスクでは、マスク本体の幅方向および上下方向にそれぞれ折合わせ部を設けることは記載されているものの、その折合わせの方法については規定されていない。すなわち、上下二側に延伸する第２折合わせ部の折合わせ方法については確認できるものの、左右二側に延伸する第１折合わせ部の折合わせ方法については記載されていない。
【０００５】
具体的に、図１２、図１３(a)および図１３(b)に示すように、マスク本体１の両側部に耳掛け部２，２を備えたマスクにおいて、左右二側に延伸する第１折合わせ部３，３と、上下二側に延伸する第２折合わせ部４，４とを形成し、これら第２折合わせ部４，４を表面側縦方向折り目部５と裏面側縦方向折り目部６とによりマスク本体１の上下方向に対称に形成するとともに、第１折合わせ部３，３を表面側横方向折り目部７と裏面側縦方向折り目部８とにより同じ折り畳み方法で左右方向に非対称に形成する場合には、第１折合わせ部３，３の上下方向の引き伸ばしとその戻しとは容易となる。
【０００６】
しかしながら、第１折合わせ部３，３を容易に元に戻すことができることは、マスク本体１の立体形状を安定した状態で維持することが容易でないことに繋がる。
【０００７】
したがって、このようなマスクは、装着時の装着者の口元の動きによって上下方向に引き伸ばされていた第１折合わせ部３，３が元の状態に戻り、マスク本体１が平面化してしまうおそれがある。
【０００８】
すなわち、マスク本体の幅方向と上下方向との双方に折り込み片を設けても、その折合わせ方法によってはマスク本体の立体化が不充分な場合がある。
【０００９】
本発明は、このような点に鑑みなされたもので、マスク本体の立体構造を確実に維持でき、かつ、良好な装着感を得ることができるマスクを提供することを目的とする。
【課題を解決するための手段】
【００１０】
請求項１記載のマスクは、通気性素材により形成された四角形状のマスク本体と、このマスク本体の幅方向両側部に設けられた耳掛け部とを具備し、前記マスク本体は、幅方向両側に亘って形成された横方向折り込み片と、上下方向両端に亘って形成された縦方向折り込み片とを備え、前記横方向折り込み片は、前記マスク本体の表面側に位置する表面側横方向折り目部と前記マスク本体の裏面側に位置する裏面側横方向折り目部とにより折り畳まれ、かつ、この折り畳まれた状態で幅方向両側部が接合されて前記マスク本体の表面側に位置するように前記マスク本体の上下方向に対称に少なくとも一対形成され、前記縦方向折り込み片は、前記マスク本体の表面側に位置する表面側縦方向折り目部と前記マスク本体の裏面側に位置する裏面側縦方向折り目部とにより折り畳まれ、かつ、この折り畳まれた状態で上下方向両端部が接合されて前記マスク本体の表面側に位置するように前記マスク本体の幅方向に対称に一対形成されているものである。
【００１１】
請求項２記載のマスクは、請求項１記載のマスクにおいて、各裏面側縦方向折り目部は、マスク本体の上部から下部へと、互いの間隔が前記マスク本体の幅方向に拡開されるように傾斜して形成されているものである。
【００１２】
請求項３記載のマスクは、請求項１または２記載のマスクにおいて、横方向折り込み片は、上下方向に対称に形成された一対の第１横方向折り込み片と、この第１横方向折り込み片の下方に設けられた第２横方向折り込み片とからなり、マスク本体の上端部から前記第１横方向折り込み片の各表面横方向折り目部間の中間位置までの寸法が、前記マスク本体の上下方向寸法の３５％以上４０％以下であるものである。
【発明の効果】
【００１３】
請求項１記載の発明によれば、マスク本体の幅方向に沿う横方向折り込み片を、マスク本体の表面側に位置する表面側横方向折り目部とマスク本体の裏面側に位置する裏面側横方向折り目部とにより折り畳んだ状態で幅方向両側部を接合してマスク本体の表面側に位置するように上下方向に対称に少なくとも一対形成し、マスク本体の上下方向に沿う縦方向折り込み片を、マスク本体の表面側に位置する表面側縦方向折り目部とマスク本体の裏面側に位置する裏面側縦方向折り目部とにより折り畳んだ状態で上下方向両端部を接合してマスク本体の表面側に位置するように幅方向に対称に一対形成することにより、マスク本体を幅方向と上下方向とにそれぞれ引き伸ばした際に安定した立体構造を得ることができるので、例えば装着者の口元が動いた際などでもマスク本体の立体構造を確実に維持できるとともに、立体化したマスク本体の裏面側には、裏面側横方向折り目部と裏面側縦方向折り目部とにより装着者の鼻の両側部分および顎の両側部分に密接する部分が形成されるので、良好な装着感を得ることができる。
【００１４】
請求項２記載の発明によれば、各裏面側縦方向折り目部を、マスク本体の上部から下部へと、互いの間隔がマスク本体の幅方向に拡開されるように傾斜して形成することで、立体化したマスク本体の裏面側に裏面側横方向折り目部と裏面側縦方向折り目部とにより形成された、装着者の鼻の両側部分に密接する部分の密接性が向上し、より良好な装着感を得ることができる。
【００１５】
請求項３記載の発明によれば、マスク本体の上端部から一対の第１横方向折り込み片の各表面横方向折り目部間の中間位置までの寸法を、マスク本体の上下方向寸法の３５％以上４０％以下とすることで、立体化したマスク本体の最も奥行きのある部分が装着者の鼻の頂部に相当する位置に略一致するため、より良好な装着感を得ることができるとともに、一対の第１横方向折り込み片の下方に第２横方向折り込み片を設けることで、マスク本体の上下方向の伸張性が向上するため、余裕のある立体構造を形成できる。
【発明を実施するための最良の形態】
【００１６】
以下、本発明の第１の実施の形態のマスクの構成を図面を参照して説明する。
【００１７】
図１において、11は使い捨てのマスクを示し、このマスク11は、横長の四角形状のマスク本体12と、このマスク本体12の外側縁に接合されてマスク本体12の幅方向である横方向すなわち左右方向両側部に形成された耳掛け部13，13とを備えている。
【００１８】
マスク本体12は、合成樹脂繊維、あるいはガーゼやその他の通気性素材により形成された通気性素材シートを、１枚、あるいは複数枚積層して形成され、幅方向両側に亘って形成された横方向折り込み片としての横方向折合わせ部15，15と、上下方向両端に亘って形成された縦方向折り込み片としての縦方向折合わせ部16，16とを有している。
【００１９】
各横方向折合わせ部15は、マスク本体12の左右方向に沿う直線状の表面側横方向折り目部21および裏面側横方向折り目部22により、図２(b)に示す下側の横方向折合わせ部15が断面視Ｓ字状に、図２(b)に示す上側の横方向折合わせ部15が逆Ｓ字状に、それぞれ折り畳まれた襞状に形成され、かつ、左右方向両側部がマスク本体12の周縁部に、横方向接合部23，23にて接合されることで、マスク本体12の表面側（図２(b)に示すマスク本体12左側）に位置するように形成されている。また、これら横方向折合わせ部15，15は、マスク本体12の上下方向の中心線に対して互いに略線対称な位置に形成されている。
【００２０】
各表面側横方向折り目部21は、各横方向折合わせ部15の上下方向外側に位置し、マスク本体12を上下方向に折り返すように形成されている。
【００２１】
各裏面側横方向折り目部22は、各横方向折合わせ部15の上下方向内側に位置し、マスク本体12を各表面側横方向折り目部21と反対方向へと折り返すように形成されている。
【００２２】
各横方向接合部23は、例えば熱接着、接着剤による接合、あるいは縫合など、マスク本体12を構成する素材の材質に適した方法を適宜選択して形成する。
【００２３】
一方、各縦方向折合わせ部16は、マスク本体12の縦方向である上下方向に沿う表面側縦方向折り目部31および裏面側縦方向折り目部32により、図２(a)に示す左側の縦方向折合わせ部16が断面視Ｓ字状に、図２(a)に示す右側の縦方向折合わせ部16が断面視逆Ｓ字状に、それぞれ折り畳まれた襞状に形成され、かつ、上下方向両端部がマスク本体12の周縁部に、縦方向接合部33，33にて接合されることで、マスク本体12の表面側（図２(a)に示すマスク本体12上側）に位置するように形成されている。また、これら縦方向折合わせ部16，16は、マスク本体12の左右方向の中心線に対して互いに略線対称な位置に形成されている。
【００２４】
各表面側縦方向折り目部31は、各縦方向折合わせ部16の左右方向外方に位置し、マスク本体12を左右方向に折り返すように形成されている。
【００２５】
各裏面側縦方向折り目部32は、各縦方向折合わせ部16の上下方向内方に位置し、マスク本体12を各表面側縦方向折り目部21と反対方向へと折り返すように形成されている。
【００２６】
各縦方向接合部33は、上記各横方向接合部23と同様に、例えば熱接着、接着剤による接合、あるいは縫合など、マスク本体12を構成する素材の材質に適した方法を適宜選択して形成する。
【００２７】
耳掛け部13，13は、装着者の耳にそれぞれ係合させるループ状のものであり、例えばマスク本体12と別体に形成されている。
【００２８】
また、耳掛け部13，13とマスク本体12とは、同一素材、あるいは異なる素材で構成しても構わないが、好ましくは、マスク本体12を非伸縮性の素材とし、耳掛け部13を伸縮性の素材とする。
【００２９】
次に、上記第１の実施の形態の作用を説明する。
【００３０】
装着に際しては、横方向折合わせ部15，15によりマスク本体12を上下方向に引き伸ばすとともに、縦方向折合わせ部16，16によりマスク本体12を左右方向に引き伸ばす。
【００３１】
このとき、各横方向折合わせ部15が各折り目部21，22の横方向接合部23，23近傍を除く部分で上下に開くとともに、各縦方向折合わせ部16が各折り目部31，32の縦方向接合部33，33近傍を除く部分で左右に開くことで、図３、図４、図５(a)および図５(b)に示すように、横方向折合わせ部15，15により形成された横方向段差部35と、縦方向折合わせ部16，16により形成された縦方向段差部36とが、それぞれマスク本体12の表面側へと突出し、マスク本体12が立体化する。
【００３２】
すなわち、マスク本体12の左右方向に沿う一対の横方向折合わせ部15，15を、表面側横方向折り目部21と裏面側横方向折り目部22とにより折り畳んだ状態で左右方向両側部を横方向接合部23，23にて接合してマスク本体12の表面側に位置するように上下対称に形成し、マスク本体12の上下方向に沿う一対の縦方向折合わせ部16，16を、表面側縦方向折り目部31と裏面側縦方向折り目部32とにより折り畳んだ状態で上下方向両端部を縦方向接合部33，33にて接合してマスク本体12の表面側に位置するように形成することにより、例えばマスク本体に一方向のみに折合わせ部を形成する場合と比較して、マスク本体12を左右方向と上下方向とにそれぞれ引き伸ばした際に安定した立体構造を得ることができる。
【００３３】
これは、両折合わせ部15，15，16，16が、マスク本体12の縦方向および横方向の立体形成を補強しあう形で相乗的に作用するためであると考えられる。
【００３４】
そして、このように安定した立体構造を得ることで、例えば装着者の口元が動いた際などでもマスク本体12の立体構造を確実に維持できる。
【００３５】
さらに、立体化したマスク本体12の裏面側には、図６に示すように、裏面側横方向折り目部22，22と裏面側縦方向折り目部32，32とが見かけ上１つに連なった上部曲線部37，37と下部曲線部38，38とが四方に形成され、これら曲線部37，38により囲まれる部分が、装着者の鼻、口および顎が入る空間部39として形成され、かつ、上部曲線部37，37は装着者の鼻の両側部分に密接し、下部曲線部38，38は装着者の顎の両側部分に密接するので、良好な装着感を得ることができる。
【００３６】
次に、第２の実施の形態を図７ないし図９を参照して説明する。なお、上記第１の実施の形態と同様の構成および作用については、同一符号を付してその説明を省略する。
【００３７】
この第２の実施の形態は、第１の実施の形態のマスク本体12において、裏面側縦方向折り目部32，32を、これら裏面側縦方向折り目部32，32の間隔がマスク本体12の上部から下部へと左右方向に拡開されるように傾斜状に形成したものである。
【００３８】
すなわち、図７、図８(a)ないし図８(c)に示すように、マスク本体12の上部に位置する縦方向接合部33，33の左右幅寸法が、マスク本体12の下部に位置する縦方向接合部33，33の左右幅寸法よりも大きく形成されている。
【００３９】
この結果、装着時にマスク本体12を立体化すると、図９に示すように、裏面側横方向折り目部22，22と裏面側縦方向折り目部32，32とが見かけ上１つに連なった上部曲線部37と下部曲線部38とが四方に形成され、上部曲線部37，37間の間隔が、下部曲線部38，38間の間隔よりも狭くなる。
【００４０】
したがって、上部曲線部37，37の装着者の鼻の両側部分への密着性が向上し、より良好な装着感を得ることができる。
【００４１】
なお、上記第２の実施の形態のように、裏面側縦方向折り目部32，32のみを傾斜状に形成する他に、表面側縦方向折り目部31，31を、裏面側縦方向折り目部32，32と同様に傾斜状に形成してもよく、表面側縦方向折り目部31，31の配向は適宜決めることができる。
【００４２】
次に、第３の実施の形態を図１０および図１１を参照して説明する。なお、上記各実施の形態と同様の構成および作用については、同一符号を付してその説明を省略する。
【００４３】
この第３の実施の形態は、マスク本体12に、横方向折合わせ部15，15に代えて、一対の第１横方向折り込み片としての第１横方向折合わせ部41，41と、これら第１横方向折合わせ部41，41の下方に位置する第２横方向折り込み片としての第２横方向折合わせ部42とを形成するものである。
【００４４】
各第１横方向折合わせ部41は、マスク本体12の左右方向に沿う直線状の表面側横方向折り目部21および裏面側横方向折り目部22により、図１１に示す下側の第１横方向折合わせ部41が断面視Ｓ字状に、図１１に示す上側の第１横方向折合わせ部41が逆Ｓ字状に、それぞれ折り畳まれた襞状に形成され、かつ、左右方向両側部がマスク本体12の周縁部に、横方向接合部23，23にて接合されることで、マスク本体12の表面側（図１１に示すマスク本体12左側）に位置するように形成されている。また、これら第１横方向折合わせ部41，41は、互いに上下方向に略線対称な位置に形成されている。
【００４５】
第２横方向折合わせ部42は、下側の第１横方向折合わせ部41の下方に、この下側の第１横方向折合わせ部41と同様の形状に形成されている。すなわち、第２横方向折合わせ部42は、表面側横方向折り目部21が下側に位置し、裏面側横方向折り目部22が上側に位置するように形成され、マスク本体12の表面側に位置している。
【００４６】
さらに、第１横方向折合わせ部41，41は、図１１に示すように、マスク本体12の上端部から第１横方向折合わせ部41，41の上下方向の中間位置までの寸法L1が、マスク本体12の上下方向寸法L2の３５％以上４０％以下となるように、すなわち、０．３５≦L1／L2≦０．４０となるように、位置が設定されている。
【００４７】
そして、このように設定することで、立体化したマスク本体12の空間部39の最も奥行きのある部分が装着者の鼻の頂部に相当する位置に略一致するため、マスク本体12が装着者の鼻の頂部を圧迫することなどがなく、より良好な装着感を得ることができる。
【００４８】
また、これら第１横方向折合わせ部41，41の下方に第２横方向折合わせ部42を形成することで、マスク本体12の上下方向の伸縮性を向上でき、余裕のある立体構造を形成できる。
【００４９】
なお、上記各実施の形態において、各折合わせ部15，16，41，42を形成する際に、折り畳んだ部分のみを各接合部23，33にて形成する他に、例えばマスク本体12を複数枚の通気性素材シートを積層して接合して形成する場合などには、これら通気性素材シートを接合する際に、マスク本体12の全周を接合して各折合わせ部15，16，41，42を簡易的に形成してもよい。
【図面の簡単な説明】
【００５０】
【図１】本発明の第１の実施の形態のマスクを示す正面図である。
【図２】(a)は図１のＡ−Ａ断面図、(b)は図１のＢ−Ｂ断面図である。
【図３】同上マスクを示す斜視図である。
【図４】同上マスクの装着状態を示す正面図である。
【図５】(a)は同上マスクの装着状態を示す平面図、(b)は同上マスクの装着状態を示す側面図である。
【図６】同上マスクの装着状態を示す背面図である。
【図７】本発明の第２の実施の形態のマスクを示す正面図である。
【図８】(a)は図７のＣ−Ｃ断面図、(b)は図７のＤ−Ｄ断面図、(c)は図７のＥ−Ｅ断面図である。
【図９】同上マスクの装着状態を示す背面図である。
【図１０】本発明の第３の実施の形態のマスクを示す正面図である。
【図１１】図１０のＦ−Ｆ断面図である。
【図１２】従来例のマスクを示す正面図である。
【図１３】(a)は図１２のＩ−Ｉ断面図、(b)は図１２のII−II断面図である。
【符号の説明】
【００５１】
11    マスク
12    マスク本体
13    耳掛け部
15    横方向折り込み片としての横方向折合わせ部
16    縦方向折り込み片としての縦方向折合わせ部
21    表面側横方向折り目部
22    裏面側横方向折り目部
31    表面側縦方向折り目部
32    裏面側縦方向折り目部
41    第１横方向折り込み片としての第１横方向折合わせ部
42    第２横方向折り込み片としての第２横方向折合わせ部
【図１】
2007260110.tif 000003
【図２】
2007260110.tif 000004
【図３】
2007260110.tif 000005
【図４】
2007260110.tif 000006
【図５】
2007260110.tif 000007
【図６】
2007260110.tif 000008
【図７】
2007260110.tif 000009
【図８】
2007260110.tif 000010
【図９】
2007260110.tif 000011
【図１０】
2007260110.tif 000012
【図１１】
2007260110.tif 000013
【図１２】
2007260110.tif 000014
【図１３】
2007260110.tif 000015